(57)【要約】      （修正有）【課題】搭乗者の身体に負担の掛からないアームレストに近く、握りやすい位置に着設することができる形状のリクライニング用の操作レバー装置とそれを装着した車椅子を提供する。【解決手段】左右に分割された一対のカバー体１１、１２に支点ボルト穴１３と固定ボルト穴１４が穿設されたレバー本体インナー１５を収め、前記レバー本体インナー１５の支点ボルト穴１３と固定ボルト穴１４に内接する支点ボルト穴１３と固定ボルト穴１４を有するてこ棒１８の一方端を支点ボルト１９で回動自在に軸着する。前記てこ棒１８の他方端にレバーを操作する操作棒２０を着設して操作棒固定ボルト２１で固定する。前記てこ棒の下端部にワイヤホルダーを介してガスダンパ操作用ワイヤを着設した車椅子のリクライニング用の操作レバー装置である。【選択図】図１
2011182911.tif 000002
【特許請求の範囲】
【請求項１】
左右に分割された一対のカバー体に支点ボルト穴と固定ボルト穴が穿設されたレバー本体インナーを収め、前記レバー本体インナーの支点ボルト穴と固定ボルト穴に内接する支点ボルト穴と固定ボルト穴を有するてこ棒の一方端を支点ボルトで回動自在に軸着し、前記てこ棒の他方端にレバーを操作する操作棒を着設し、前記てこ棒の下端部にワイヤホルダーを介してガスダンパ操作用ワイヤを着設した車椅子のリクライニング用の操作レバー装置であって、前記リクライニング用の操作レバーを操作しないときは、前記レバー本体インナーの固定ボルト穴と内接する前記てこ棒の固定ボルト穴に固定ボルトを挿入して操作レバーが固定できることを特徴とする車椅子のリクライニング用の操作レバー装置。
【請求項２】
車椅子のリクライニング用の操作レバー装置のレバー本体インナーのてこ棒の固定ボルト穴に挿入するピンと、該ピンの挿脱を操作する操作レバー固定用レバーを着設したことを特徴とする請求項１に記載の車椅子のリクライニング用の操作レバー装置。
【請求項３】
前部に回動可能な一対の前部キャスターと後部に一対の主車輪と、該主車輪の後部に一対の長さの調節が可能な転倒防止機構を有し、チルト機構を有するリクライニング式自走用車椅子であって、前記主車輪と前記前部キャスターの車軸の軸着位置を変更して座部の高さ調節が可能な車椅子に請求項１または２のいずれかに記載の車椅子のリクライニング用の操作レバー装置を着設したことを特徴とするリクライニング車椅子。
【請求項４】
アームレストの高さ調整が可能であることを特徴とする請求項３に記載のリクライニング車椅子。
【発明の詳細な説明】
【技術分野】
【０００１】
本発明は車椅子の搭乗者がリクライニング操作をするためのリクライニング用の操作レバー装置に関する。より詳しくは、車椅子の搭乗者が扱い易いようにリクライニング用のレバー装置をアームレストの下部に着設することができる車椅子のリクライニング用の操作レバー装置に関する。
【背景技術】
【０００２】
車椅子のリクライニングを操作するためのリクライニング用の操作レバーには様々な形状のものものがあるが、多くのリクライニング用の操作レバーは介助者が扱うようになっており、そのために、リクライニング用の操作レバーは車椅子の後方に着設されており、車椅子の搭乗者が扱うことができるリクライニング用の操作レバーは着設されていない場合が多い。
【０００３】
特許文献１に記載のリクライニング車椅子のレバーは、段落[００２０]「また、左側の肘掛け３１の先端部には、背もたれ２０の傾斜角度を調整するための単一のリクライニングレバー３３（操作部、操作部材）が設けられている。このリクライニングレバー３３は、上述したように、制御ケーブル２５ｂを介して上記接続器２６に接続されている。したがって、リクライニングレバー３３を操作することにより、その旨が、制御ケーブル２５ａ、２５ａ、２５ｂおよび接続器２６を介して、左右のアクチュエータ２４、２４に伝達され、これらアクチュエータ２４、２４のピストンロッド２４ｂ、２４ｂのロックが同時に解除される。」構成のリクライニング用のレバーが開示されている。
【０００４】
特許文献２の段落[００２６]「また、ピン４３の挿脱手段４４を次のように構成して、容易に操作可能なものとすることもできる。
【０００５】
まず、第１４図に示すように外側パイプ４１ｂの空孔部にあわせ、筒部材４５を固着している。そして、この筒部材４５内に段付ピン４６及びスプリング４７をはめ込み、さらに蓋部材４８を螺着して、ピン４６とスプリング４７の抜け止めをしている。このように構成されたピン４６はスプリング４７により常時外側パイプ４１に挿通される方向に付勢されている。そして、このピン４６の端部にワイヤー部材４８を掛止し、このワイヤー部材４８を、例えばハンドル部材１２等に取り付けたレバー部材４９に掛止している。このように構成すれば、リクライニング等の操作と同様にピン４６の抜き挿しが容易に行うことができる。」と記載され、リクライニング操作は後部レバーのみで操作するリクライニング機構が開示されている。
【０００６】
特許文献３のリクライニング機構は、段落[００６５]に「各ガスダンパー２、２は、図２に示す常態では、ピストンロッド２２がシリンダー２１に対してロックされており、上記したリクライニングレバー３１を操作するとそのロックが解除され、ガスダンパー２、２が伸長する方向に付勢力が生じるようになっている。図４で、符号３１１はリクライニングレバー３１から延びた操作ワイヤを示している。」と記載されている。すなわち、特許文献３のリクライニング機構はアームレストの下に着設されたリクライニングレバー３１のみで操作するようになっている。
【０００７】
特許文献４の段落[００３１]には、「この実施形態の車椅子の機能は、座面フレーム７６が揺動連結部７８に軸支され、座面フレーム７６の連結材８４のダンパ支持部９６と、車体フレーム１６のサイドフレーム１８を連結する連結棒材２０のダンパ支持部６０との間のダンパ５８により、座面フレーム７６が、約水平位置から前方に約５°後方に約１５°傾斜した位置まで調節可能に設けられている。この調節は、ダンパ５８につながれた一対の解除レバー１８８の一方により、ダンパ５８のロックが解除され、揺動可能にされた状態で適宜の角度に設定し、その位置で解除レバー１８８を離すことにより固定される。」リクライニング装置が開示されている。
【０００８】
特許文献５のリクライニング操作は、段落[００１４]に「図２はリクライニング車椅子１００をリクライニングの状態にした図である。ハンドル１９の下に着設されたリクライニンググリップ２０をハンドル１９の方に握ると伸縮部材２２が解除されて、背もたれフレーム１７を後方に倒したり、元の位置に戻したりすることができる。」と記載のように、車椅子の後部にあるハンドル１９の下に着設されたリクライニンググリップ２０により、リクライニング操作を行うようになっている。
【０００９】
上記特許文献に開示されているように、一般に車椅子のリクライニングを操作するレバー装置は、車椅子の介助者が取り扱いやすいように車椅子の後部に装着されている場合が多い。車椅子の搭乗者が取り扱うために着設されたリクライニング装置の操作レバーは、上記特許文献１、３に開示されているように、車椅子のアームレストの先端部に着設されている。しかし、これらの形状は身体の不自由な搭乗者によっては扱いにくい形状であり、また、咄嗟の場合にレバーを握って後方に倒れる危険性もある。車椅子の搭乗者がリクライニング装置のレバー操作を行う際に、握りやく、安全な操作レバー装置の出現が望まれている。
【先行技術文献】
【特許文献】
【００１０】
【特許文献１】特開２００３−０６２０１５号公報
【特許文献２】特開２００５−１６８８５３号公報
【特許文献３】特開２００５−２７９０８５号公報
【特許文献４】特開２００６−１６７０９９号公報
【特許文献５】特開２００６−２４６９９０号公報
【発明の概要】
【発明が解決しようとする課題】
【００１１】
本発明は、上記事実に鑑み、車椅子のリクライニングを操作するためのレバー装置について、身体の不自由な搭乗者が扱い易く、安全なリクライニング用の操作レバー装置を提供する。さらに、リクライニング用の操作レバー装置を着設する位置も、搭乗者がリクライニング操作を行う場合に、身体に負担の掛からないアームレストの先端部に近く、握りやすい位置に着設することができ、しかも、咄嗟の場合に握っても作動しない安全なリクライニング用の操作レバー装置とそれを装着した車椅子を提供する。
【課題を解決するための手段】
【００１２】
車椅子のリクライニングを操作するためのレバー装置を身体の不自由な搭乗者が扱い易い位置に装着できる構造とすると共に、搭乗者がリクライニング操作を行う場合に、握りやすく、操作のし易い形状で身体に負担の掛からない位置に着設することができる形状とすること、さらに、咄嗟の場合に握っても作動しない安全なリクライニング用の操作レバー装置を提供するために鋭意検討を重ねた。
【００１３】
本発明の特徴は、左右に分割された一対のカバー体に支点ボルト穴と固定ボルト穴が穿設されたレバー本体インナーを収め、前記レバー本体インナーの支点ボルト穴と固定ボルト穴に内接する支点ボルト穴と固定ボルト穴を有するてこ棒の一方端を支点ボルトで回動自在に軸着し、前記てこ棒の他方端にレバーを操作する操作棒を着設し、前記てこ棒の下端部にワイヤホルダーを介してガスダンパ操作用ワイヤを着設した車椅子のリクライニング用の操作レバー装置であって、前記リクライニング用のレバーを操作しないときは、前記レバー本体インナーの固定ボルト穴と内接する前記てこ棒の固定ボルト穴に固定ボルトを挿入して操作レバーが固定できることを特徴とする車椅子のリクライニング用の操作レバー装置である。
【００１４】
本発明の別の特徴は、車椅子のリクライニング用の操作レバー装置のレバー本体インナーのてこ棒の固定ボルト穴に挿入するピンと、該ピンの挿脱を操作するレバーを着設したことを特徴とする請求項１に記載の車椅子のリクライニング用の操作レバー装置である。リクライニング用の操作レバー装置を固定するピンの挿脱用のレバーを着設して、搭乗者がリクライニング用の操作レバー装置の固定、固定の解除を行いやすくした。
【００１５】
本発明の別の特徴は、前部に回動可能な一対の前部キャスターと後部に一対の主車輪と、該主車輪の後部に一対の長さの調節が可能な転倒防止機構を有し、チルト機構を有するリクライニング式自走用車椅子であって、前記主車輪と前記前部キャスターの車軸の軸着位置を変更して座部の高さ調節が可能な車椅子に本願発明の車椅子のリクライニング用の操作レバー装置を着設したことを特徴とするリクライニング車椅子である。
【００１６】
本発明の別の特徴は、前部に回動可能な一対の前部キャスターと後部に一対の主車輪と、該主車輪の後部に一対の長さの調節が可能な転倒防止機構を有し、チルト機構を有するリクライニング式自走用車椅子であって、前記主車輪と前記前部キャスターの車軸の軸着位置を変更して座部の高さ調節が可能な車椅子のアームレストの高さ調整が可能で、本願発明の車椅子のリクライニング用の操作レバー装置を着設したことを特徴とするリクライニング車椅子である。
【発明の効果】
【００１７】
リクライニング用の操作レバー装置を車椅子のアームレストの下に着設したことによって、リクライニング操作が搭乗者自身で操作できるようになった。また、リクライニング用の操作レバー装置の把持部の着設の向きや形状を変えることによって、搭乗者の病状に応じて握り部分を変更できる。さらに操作レバーを固定するボルトを着設したことによって、必要のないときは固定ボルトでレバーを固定して、誤って握っても背もたれが倒れないように安全なリクライニング用のレバー装置とした。
【図面の簡単な説明】
【００１８】
【図１】リクライニング用の操作レバー装置本体の分解斜視図を示す。
【図２】リクライニング用の操作レバー装置にレバー固定用のレバーを着設した斜視図を示す。
【図３】リクライニング用の操作レバー装置にレバー固定用のレバーの脱抜状態の側面図を示す。
【図４】リクライニング用の操作レバー装置の把持部の形状の側面図を示す。
【図５】リクライニング用の操作レバー装置を装着したリクライニング車椅子の側面図を示す。
【図６】リクライニング用の操作レバー装置を装着したリクライニング車椅子の側面図を示す。
【図７】アームレストの高さ調整可能なリクライニング用の操作レバー装置を装着したリクライニング車椅子の側面図を示す。
【図８】長さ調整可能な転倒防止機構とリクライニング用の操作レバーを装着したリクライニング車椅子の側面図を示す。
【図９】リクライニング用の操作レバー装置を装着したリクライニング車椅子の座部の高さを調整した側面図を示す。
【発明を実施するための形態】
【００１９】
以下に本願発明のリクライニング用の操作レバー装置と該リクライニング用の操作レバー装置を装着したリクライニング車椅子を例示するが、本願発明は以下の実施例に限定されるものではない。
【００２０】
図１は、本願発明のリクライニング用の操作レバー装置１００の分解斜視図を示す。左右に分割された一対のカバー体１１、１２に支点ボルト穴１３と固定ボルト穴１４が穿設されたレバー本体インナー１５を収め、カバーボルト１６、１７で固定する。前記レバー本体インナー１５の支点ボルト穴１３と固定ボルト穴１４に内接する支点ボルト穴１３と固定ボルト穴１４を有するレバーのてこ棒１８の一方端を支点ボルト１９で回動自在に軸着する。前記レバーのてこ棒１８の他方端にレバーを操作する操作棒２０を着設して操作棒固定ボルト２１で固定する。前記レバーのてこ棒１８の下端部にワイヤホルダー２２、２２を介してガスダンパ操作用ワイヤ２３を着設した車椅子のリクライニング用の操作レバー装置１００である。前記リクライニング用の操作レバー装置１００を操作しないときは、前記レバー本体インナー１５の固定ボルト穴１４と内接する前記てこ棒の固定ボルト穴１４にレバー本体固定ボルト２４を挿入して操作レバーのてこ棒１８を固定する。リクライニング用の操作レバー装置１００を使用状態にするときは、レバー本体固定ボルト２４を固定ボルト穴１４から外して固定ボルト穴１４の下に穿設した穴２４ａに螺着して保存する。
【００２１】
図２は、レバー本体固定ボルト２４の代わりに操作レバーを固定するための操作レバー固定用レバー４１を着設した斜視図を示している。図２（２−１）は操作レバー固定用レバー４１のレバー４１ａを下にすると、てこ棒１８の固定ボルト穴１４にピン４１ｃ（図３参照）が挿入されててこ棒１８が固定される。図２（２−２）に示すように、操作レバー固定用レバー４１のレバー４１ａを上にすると、てこ棒１８の固定ボルト穴１４からピン４１ｃ（図３参照）が抜けて、てこ棒１８が上下自在となり、リクライニング用の操作レバー装置１００が開放されてリクライニングが可能となる。
【００２２】
図３は、レバー本体固定ボルト２４の代わりに操作レバー固定用レバー４１のピン４１ｃが、てこ棒１８の固定ボルト穴１４を脱抜する状態を示している。操作レバー固定用レバー４１のレバー４１ａを上げると点線で示すように、てこ棒１８の固定ボルト穴１４からピン４１ｃが抜けててこ棒１８が回動自在となる。操作レバー固定用レバー４１を下げるとピン４１ｃが挿入されて、てこ棒１８が固定される。誤ってリクライニング用の操作レバー装置１００に触れても背もたれが後に傾動することはなく、安心して、アームレストを握ることができる。レバー本体固定ボルト２４の代わりに操作レバー固定用レバー４１を着設することによって、搭乗者自身がリクライニング用の操作レバー装置１００の固定と開放をすることができる。
【００２３】
図４は、リクライニング用の操作レバー装置１００の異なる形状の把持部の側面図を示す。本願発明のリクライニング用の操作レバー装置１００は、搭乗者の病状に合わせて把持部の形状を変えることができる。図４（４−１）には、アームレスト２５の下に本願発明のリクライニング用の操作レバー装置１００を装着した例を示している。通常、本願発明のリクライニング用の操作レバー装置１００は、このようにレバーの操作棒２０を車椅子のアームレスト２５の下に背もたれ２６（図５参照、車椅子の内側）方向に向けて着設して、操作棒２０を上に引き上げるようにするとワイヤ２３が引かれて背もたれ２６（図６参照）の角度を変えることができる。腕を伸ばした状態の方が操作がし易い搭乗者には図４（４−２）に示すように、操作棒２０を車椅子の外側方向に向けて着設することもできる。また、握力の弱い搭乗者には図４（４−３）に示すように、操作棒２０を延長することによってレバー操作を容易にすることができる。さらに、握ることが困難な搭乗者には、図４（４−４）に示すように、操作棒をリング状のものに変更して、指を引っかけて操作することもできる。
【００２４】
図５は、本願発明のリクライニング用の操作レバー装置１００を装着したリクライニング車椅子２００の側面図を示す。本願発明のリクライニング用の操作レバー装置１００を装着したリクライニング車椅子２００は、上部にアームレスト２５を有し、前方下部にフットレスト３９が着設され、後方上部にはヘッドレスト２７を有する背もたれ２６が着設された本体フレーム３８と、該本体フレーム３８の下部にキャスター３２と大車輪３３を着設した下部フレーム４０よりなり、それぞれ略左右対称に構成され、左右のフレームはクロスフレーム３６で接続されて、折り畳むことができる。
【００２５】
図６は、本願発明のリクライニング用の操作レバー装置１００を装着したリクライニング車椅子２００の側面図を示す。図６（６−１）に示すように、本体フレーム３８の上部に着設されたアームレスト２５の下部に本願発明のリクライニング用の操作レバー装置１００を装着する。装着したリクライニング用の操作レバー装置１００の操作は、（６−２）に示すように、搭乗者が、アームレスト２５の下部に着設したリクライニング用のレバーの操作棒２０を上下することによって、リクライニングの角度を調整する。
【００２６】
図７は、アームレストの高さ調整可能なリクライニング用の操作レバー装置１００を装着したリクライニング車椅子２００の側面図を示す。本体フレーム３８の上部に着設されたアームレスト２５の下部に本願発明のリクライニング用の操作レバー装置１００は、ワイヤ（ワイヤホルダー２２）でつながれているので、図７（７−１）に示すように、アームレスト２５を上下させてアームレスト２５の高さを調節することができる。アームレスト２５を上下させるには、図５（７−２）に示すように、ピンのレバー２５ａを起こし（平行にする）てパイプ２５ｂの穴からピンを引き抜き、パイプ２５ｂを上下させて高さを調節して、ピンを挿入後、レバー２５ａをもと（下に向ける）に戻す。
【００２７】
図８は、長さ調整可能な転倒防止機構とリクライニング用の操作レバー装置１００を装着したリクライニング車椅子２００の側面図を示す。図８（８−１）はリクライニングにおいて、背もたれ２６を最大に倒した状態を示している。背もたれ２６を後方に倒していくと荷重が後方に移動して転倒する危険性がある。背もたれ２６を後方に倒して不安定な状態を防ぐために、図８（８−２）に示すように、転倒防止機構３５の固定ピン３５ｂを抜いてインナーパイプ３５ａを後方に引き出すことによって、転倒防止機構３５が後方に移動して、車椅子２００を安定に保持することができる。
【００２８】
本願発明のリクライニング用の操作レバー装置１００を装着したリクライニング車椅子２００を図９（９−１）に示す。図９（９−２）は、リクライニング用の操作レバー装置を装着したリクライニング車椅子２００の座部の高さを調整した側面図を示している。リクライニング車椅子の座部の高さの調整は、キャスター車輪軸受け３４の部分と大車輪軸受け３３部分に穿設された複数個の軸受け穴を任意の位置に合わせて、車輪３１、３２を固定することによって、リクライニング車椅子２００の座部の高さを調整することができる。
【符号の説明】
【００２９】
１００：リクライニング用の操作レバー装置
２００：リクライニング用の操作レバー装置を装着したリクライニング車椅子
１１：カバー
１２：カバー
１３：支点ボルト穴
１４：固定ボルト穴
１５：レバー本体インナー
１６：カバー固定ボルト
１７：カバー固定ボルト
１８：てこ棒
１９：支点ボルト
２０：操作棒
２１：操作棒固定ボルト
２２：ワイヤホルダー
２３：ガスダンパー操作用ワイヤー
２４：レバー本体固定ボルト
２５：アームレスト
２６：背もたれ
２７：ヘッドレスト
２８：介助者用グリップ
２９：ヘッドレスト固定用ノブネジ
３０：背折れ金具
３１：大車輪
３２：キャスター車輪
３３：大車輪軸受け
３４：キャスター車輪軸受け
３５：転倒防止機構
３６：クロスフレーム
３７：スカートガード
３８：本体フレーム
３９：フットレスト
４０：下部フレーム
４１：操作レバー固定用レバー
【図１】
2011182911.tif 000003
【図２】
2011182911.tif 000004
【図３】
2011182911.tif 000005
【図４】
2011182911.tif 000006
【図５】
2011182911.tif 000007
【図６】
2011182911.tif 000008
【図７】
2011182911.tif 000009
【図８】
2011182911.tif 000010
【図９】
2011182911.tif 000011